(57)【要約】【課題】安定したサーボ特性を有する小型の光ピックアップ装置を提供する。【解決手段】光ピックアップ装置は、ベース部材４と、前記ベース部材に固定された対物レンズ１ａと、前記ベース部材に固定されたコイル２ａ，２ｂと、を備える。前記ベース部材４は、前記対物レンズ１ａの光軸と平行な側面に、内側に切り欠かれた切り欠き部４１，４２を有し、前記コイル２ａ，２ｂは、前記切り欠き部４１，４２に固定されていることを特徴とする。【選択図】図１
2011159366.tif 000002
【特許請求の範囲】
【請求項１】
ベース部材と、
前記ベース部材に固定された対物レンズと、
前記ベース部材に固定されたコイルと、を備え、
前記ベース部材は、前記対物レンズの光軸と平行な側面に、内側に切り欠かれた切り欠き部を有し、
前記コイルは、前記切り欠き部に固定されている、
光ピックアップ装置。
【請求項２】
前記ベース部材よりも剛性が高い材料からなり、前記切り欠き部を補強する補強部をさらに備える、
請求項１に記載の光ピックアップ装置。
【請求項３】
前記補強部は、少なくとも一部に導電性を有する導電部を有し、
前記コイルは、前記導電部を介して通電される。
請求項１から２に記載の光ピックアップ装置。
【発明の詳細な説明】
【技術分野】
【０００１】
本発明は、光学式記録再生装置に用いられる光ピックアップ装置に関するものである。
【背景技術】
【０００２】
ＢＤ、ＤＶＤ、ＣＤ等の光ディスク記録媒体に記録された情報の読み取り、あるいは光ディスク記録媒体への記録のために、従来から、対物レンズと光ディスクとの相対位置をコイルとマグネットから構成された電磁アクチュエータにより制御する光ピックアップが一般的に用いられている。この光ピックアップは対物レンズとこれを保持するレンズホルダーと、このレンズホルダーに設けられたフォーカス方向に駆動するためのフォーカスコイルとトラッキング方向に駆動するトラッキングコイルを有し、例えば6本のワイヤーにより片持ち支持された構成となっている。
【０００３】
近年、光ピックアップは益々小形化、薄型化され集積化される傾向にあり、これに伴い、アクチュエータの小型化、薄型化も進んでいる。これによりレンズホルダーの剛性が低下し、二次共振周波数が低い帯域で発生する為、ディスクの面反りや偏心に伴う面ブレにアクチュエータのサーボが追従出来なくなるという課題が発生していた。
【０００４】
そこで、上記の課題を解決するために、特許文献１に開示された光ピックアップが考案されている。この光ピックアップによると、角形コイルにそれぞれ隣接するようにして金属体でない絶縁体からなる高剛性体をホルダ側の角形コイルの取り付けられる面の残りの領域にのみ貼り付けるので、対物レンズホルダに取り付けられているフォーカスコイルやトラッキングコイルの剛性を増して対物レンズアクチュエータの副次共振周波数をより高くすることかできるというものである。
【先行技術文献】
【特許文献】
【０００５】
【特許文献１】特許第２７３５００６号公報
【発明の概要】
【発明が解決しようとする課題】
【０００６】
しかしながら、特許文献１に開示されたアクチュエータの構成では、角形のレンズホルダーの角部で発生するねじれ、もしくは折れ曲りによる局所的な振動モードには効果があるが、レンズホルダー全体で発生する振動モードを効率的に抑えることができない。また、この構成ではレンズホルダー内を通過する光軸は対物レンズに対向する面に垂直に入射し、レンズから出射する方向に限定されるので、アクチュエータを除く光学系部品を搭載した光ピックアップ部分とアクチュエータを重なる構成になるため、アクチュエータの厚みが加わる分、光ピックアップ全体の薄型化が困難である。
【０００７】
本発明はかかる点に鑑み、安定したサーボ特性を実現するアクチュエータを有する小型の光ピックアップ装置を提供することを目的とする。
【課題を解決するための手段】
【０００８】
上記目的を達成するため、光ピックアップ装置は、
ベース部材と、
前記ベース部材に固定された対物レンズと、
前記ベース部材に固定されたコイルと、を備え、
前記ベース部材は、前記対物レンズの光軸と平行な側面に、内側に切り欠かれた切り欠き部を有し、
前記コイルは、前記切り欠き部に固定されている。
【発明の効果】
【０００９】
ここに開示された技術によれば、安定したサーボ特性を有する小型の光ピックアップ装置を提供することが可能である。
【図面の簡単な説明】
【００１０】
【図１】本発明の実施形態における光ピックアップ装置の斜視図
【図２】本発明の実施形態におけるレンズホルダーの斜視図
【図３】本発明の実施形態における光ピックアップ装置の全体斜視図
【図４】本発明の実施形態における光ピックアップ装置の斜視図
【図５】本発明の実施形態における補強部の正面図
【発明を実施するための形態】
【００１１】
＜実施形態＞
以下、本発明の実施形態について図面を参照にして説明する。
【００１２】
図１および図２を用いて光ピックアップ装置の構成を以下に説明する。光ピックアップ装置は、２つの対物レンズ１ａ，１ｂと、フォーカスコイル２ａ、２ｂ（コイルの一例）と、トラッキングコイル３ａ〜３ｄと、レンズホルダー４（ベース部材の一例）と、を備える。
【００１３】
対物レンズ１ａ，１ｂは、図示しないレーザーからの光を光ディスクに集光するためのレンズである。対物レンズ１ａと対物レンズ１ｂとは、異なる光学特性を有している。
【００１４】
レンズホルダー４は、液晶ポリマー樹脂等の樹脂で形成されている。例えば、射出成形により製造される。レンズホルダー４は、２つの対物レンズ１ａ，１ｂと、フォーカスコイル２ａ、２ｂと、トラッキングコイル３ａ〜３ｄを支持する。レンズホルダー４は、対物レンズ１ａ，１ｂと平行な側面に、内側に切り欠かれた切り欠き部４１，４２を有している。
【００１５】
フォーカスコイル２ａ、２ｂは、切り欠き部４１，４２に固定されている。これにより、レンズホルダー４を含む光ピックアップ装置の可動部のトラッキング方向の設計寸法を短くすることができる。フォーカスコイル２ａ、２ｂは、レンズホルダー４をフォーカス方向（対物レンズの光軸方向）へ駆動するための駆動力を発生する。
【００１６】
トラッキングコイル３ａ〜３ｄは、フォーカスコイル２ａ、２ｂに固定されている。トラッキングコイル３ａ〜３ｄは、レンズホルダー４をトラッキング方向（対物レンズの光軸方向に直交する方向）へ駆動するための駆動力を発生する。
【００１７】
以上のように、光ピックアップ装置は小型化を実現している。しかし、切り欠き部４１，４２を設けると、レンズホルダー４の剛性が低下し、二次共振周波数が低い帯域で発生してしまう。すると、例えば、ディスクの面反りや偏心に伴う面ブレに可動部のサーボが追従出来なくなる。
【００１８】
そこで、本実施形態の光ピックアップ装置は、レンズホルダー４を補強する補強部７ａ、７ｂをさらに備える。補強部７ａ、７ｂは、レンズホルダー４よりも剛性が高い材料で形成されている。補強部７ａ、７ｂは、例えば、金属板で形成されている。補強部７ａ、７ｂは、レンズホルダー４に固定される。具体的には、補強部７ａ、７ｂは、切り欠き部４１，４２の近傍に固定され、切り欠き部４１，４２の剛性を高める。したがって、全体の剛性が高まり、二次共振周波数が高い帯域まで発生しない。
【００１９】
さらに、補強部７ａ、７ｂは、少なくとも一部に導電性を有する導電部を有している。本実施形態では、補強部７ａ、７ｂ全体が導電性を有する。つまり、補強部７ａ、７ｂ全体が導電部を構成している。補強部７ａ、７ｂは、フォーカスコイル２ａ、２ｂに電気的に接続されている。また、補強部７ａ、７ｂは、端子板１１に電気的に接続されている。
【００２０】
フレキシブルプリント基板８は、アクチュエータベース１０に固定されている。フレキシブルプリント基板８には、６本のワイヤー９が電気的に接続されている。６本のワイヤー９は、導電性を有する。６本のワイヤー９は、アクチュエータベース１０に固定されている。ワイヤー９のもう一方の端部は端子板１１に電気的に接続されている。端子板１１は、レンズホルダー４に接着固定されている。つまり、ワイヤー９は、レンズホルダー４を片持ち支持している。
【００２１】
本実施形態では、フォーカスコイル２ａ、２ｂと端子板１１との電気接続経路として導電部を用いるため、配線作業の効率化を図ることができる。
【００２２】
なお、トラッキングコイル３ａ〜３ｄと端子板１１との電気接続経路として導電部を用いてもよい。
【００２３】
＜実施形態の特徴＞
本実施形態によれば、レンズホルダー４（ベース部材の一例）の切り欠き部４１，４２にフォーカスコイル２ａ、２ｂ（コイルの一例）を固定することで、光ピックアップ全体での薄型化が可能になる。また、トラッキング方向の可動距離を含めた設計寸法を小さくすることができるので、光ピックアップの小型化が可能となる。
【００２４】
また、補強部７ａ、７ｂにより、全体で生じる振動モードを低減することが可能となる。
【００２５】
さらに、導電部により、コイルを端子板１１に接続する作業の効率を向上することができる。
【産業上の利用可能性】
【００２６】
本発明は、光ピックアップ装置に利用可能である。
【符号の説明】
【００２７】
１ａ，１ｂ  対物レンズ
２ａ、２ｂ  フォーカスコイル（コイルの一例）
３ａ、３ｂ、３ｃ、３ｄ  トラッキングコイル
４  レンズホルダー
４１，４２  切り欠き部
７ａ、７ｂ  補強部
８  フレキシブルプリント基板
９  ワイヤー
１０  アクチュエータベース
１１  端子板
【図１】
2011159366.tif 000003
【図２】
2011159366.tif 000004
【図３】
2011159366.tif 000005
【図５】
2011159366.tif 000006
【図４】
2011159366.tif 000007